(57)【特許請求の範囲】
【請求項１】
床材同士を互いに接合するようにした床材の接合構造であって、
上記床材同士の互いの接合部には、該床材表面側に開口し、粒子状のアレルゲンを溜める溜まり部が形成されており、
上記床材同士の互いの接合端面の上端部には、上側に行くに従って該接合端面とは反対側に向かって傾斜する傾斜面が形成されており、
上記溜まり部の内面には、アレルゲン低減剤を含む塗料が塗布されていることを特徴とする床材の接合構造。
【請求項２】
請求項１記載の床材の接合構造において、
上記各床材の裏面には、クッション材が設けられていることを特徴とする床材の接合構造。
【請求項３】
床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造の使用方法であって、
上記接合部を振動させることを特徴とする床材の接合構造の使用方法。
【請求項４】
床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造のメンテナンス方法であって、
上記溜まり部にアレルゲン低減剤を含むワックスを供給することを特徴とする床材の接合構造のメンテナンス方法。
【請求項５】
床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造のメンテナンス方法であって、
上記溜まり部にアレルゲン低減剤を含む水溶液を供給することを特徴とする床材の接合構造のメンテナンス方法。
【請求項６】
床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造のメンテナンス方法であって、
上記溜まり部にアレルゲン低減剤を含む揮発性溶液を供給することを特徴とする床材の接合構造のメンテナンス方法。
【発明の詳細な説明】
【技術分野】
【０００１】
本発明は、床材同士を互いに接合するようにした床材の接合構造、その使用方法及びメンテナンス方法に関するものである。
【背景技術】
【０００２】
ダニや花粉などのアレルゲンは、アトピー性皮膚炎やアレルギー性鼻炎等の要因となっており、社会的にも問題視されている。このようなアレルゲンを低減させる技術として、特許文献１〜３には、アレルゲンの低減機能が付与された床材（以下、単にアレルゲン低減床材という）が開示されている。
【０００３】
具体的に、特許文献１に開示のアレルゲン低減床材は、例えばフェノール性水酸基を有する非水溶性高分子の抗アレルゲン剤（アレルゲン低減剤）を光硬化性塗料に溶解させ、床材トップコート用光硬化性塗料を得た後、この床材トップコート用光硬化性塗料を木質系床材に塗布することで得られる。特許文献２に開示のアレルゲン低減床材は、抗アレルゲン剤が担持された無機化合物を含有する硬化性樹脂組成物により形成された塗料を得た後、この塗料を木質板に塗布することで得られる。特許文献３に開示のアレルゲン低減床材は、抗アレルゲン剤が担持された無機化合物、２個以上の（メタ）アクリロイル基を有する活性エネルギー線硬化型樹脂、１〜３個の（メタ）アクリロイル基を有するＴｇ１００℃以上のモノマー、及び１〜２個の（メタ）アクリロイル基を有する脂肪族炭化水素系モノマーを含有し、塗工環境温度における粘度が１５００ｍＰａ・ｓ以下である塗料を得た後、この塗料を木質板に塗布することで得られる。つまり、これらのアレルゲン低減床材では、床材の表面に抗アレルゲン剤を含む塗膜が形成される。このため、空気中のアレルゲンが床材表面に付着すると、このアレルゲンが塗膜中の抗アレルゲン剤によって不活性化される。
【先行技術文献】
【特許文献】
【０００４】
【特許文献１】特開２００８−２３９７２１号公報
【特許文献２】特開２０１０−１７３１１５号公報
【特許文献３】特開２０１０−１７４０７５号公報
【発明の概要】
【発明が解決しようとする課題】
【０００５】
特許文献１〜３のアレルゲン低減床材では、アレルゲンが床材表面に付着すると、このアレルゲンが不活性化される。逆に言えば、アレルゲンが床材表面に接触しないと、このアレルゲンは不活性化されないので、アレルゲンを確実且つ効率良く不活性化させることができないという問題がある。
【０００６】
また、アレルゲンの低減機能は有限であるものが多く、この機能を持続させることが困難であるという問題がある。
【０００７】
本発明は、かかる点に鑑みてなされたものであり、その課題とするところは、アレルゲンを確実且つ効率良く不活性化させることにある。また、アレルゲンの低減機能を持続させることにある。
【課題を解決するための手段】
【０００８】
第１の発明は、床材同士を互いに接合するようにした床材の接合構造であって、上記床材同士の互いの接合部には、該床材表面側に開口し、粒子状のアレルゲンを溜める溜まり部が形成されており、上記床材同士の互いの接合端面の上端部には、上側に行くに従って該接合端面とは反対側に向かって傾斜する傾斜面が形成されており、上記溜まり部の内面には、アレルゲン低減剤を含む塗料が塗布されていることを特徴とするものである。
【０００９】
これによれば、床材同士の互いの接合部に、床材表面側に開口し、アレルゲンを溜める溜まり部を形成している。この溜まり部は、床材表面よりも低い位置にあるのでアレルゲンが溜まりやすい。そして、アレルゲンが溜まった溜まり部の内面に、アレルゲン低減剤を含む塗料を塗布しているので、そのアレルゲンは塗膜中のアレルゲン低減剤と接触する。このため、アレルゲンを確実且つ効率良く不活性化させることができる。
【００１０】
第２の発明は、上記第１の発明において、上記各床材の裏面には、クッション材が設けられていることを特徴とするものである。
【００１１】
これによれば、各床材の裏面にクッション材を設けているので、人間が床材の上を歩行すると、床材のうち人間の足で踏んでいる部分と踏んでいない部分との間で大きな撓みが発生する。これにより、溜まり部に溜まったアレルゲンが溜まり部内を大きく移動し、そのアレルゲンは塗膜中のアレルゲン低減剤とより接触しやすくなる。このため、アレルゲンをより確実且つ効率良く不活性化させることができる。
【００１２】
第３の発明は、床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造の使用方法であって、上記接合部を振動させることを特徴とするものである。
【００１３】
これによれば、接合部を振動させるので、溜まり部に溜まったアレルゲンが溜まり部内を移動し、そのアレルゲンは塗膜中のアレルゲン低減剤とより接触しやすくなる。このため、アレルゲンをより確実且つ効率良く不活性化することができる。
【００１４】
第４の発明は、床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造のメンテナンス方法であって、上記溜まり部にアレルゲン低減剤を含むワックスを供給することを特徴とするものである。
【００１５】
これによれば、溜まり部にアレルゲン低減剤を含むワックスを供給すると、このワックスは、粘度が高いので溜まり部全体に広がり、ワックスに含まれるアレルゲン低減剤が、アレルゲン低減剤が剥離した部分を含む溜まり部内面全体に固着され、溜まり部におけるアレルゲンの低減機能が再生される。このため、溜まり部におけるアレルゲンの低減機能を持続させることができる。
【００１６】
第５の発明は、床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造のメンテナンス方法であって、上記溜まり部にアレルゲン低減剤を含む水溶液を供給することを特徴とするものである。
【００１７】
これによれば、溜まり部にアレルゲン低減剤を含む水溶液を供給すると、この水溶液が溜まり部に速やかに浸透し、水溶液に含まれるアレルゲン低減剤が、アレルゲン低減剤が剥離した部分を含む溜まり部内面に直ちに固着され、溜まり部におけるアレルゲンの低減機能が即座に再生される。このため、溜まり部におけるアレルゲンの低減機能を持続させることができる。
【００１８】
また、溜まり部にアレルゲン低減剤を含む水溶液を供給すると、アレルゲンは水に溶けやすいので、水溶液に、溜まり部に溜まった不活性化されていないアレルゲンが溶け、このアレルゲンが水溶液に含まれるアレルゲン低減剤と接触し、アレルゲンがより確実且つ効率良く不活性化される。
【００１９】
第６の発明は、床材同士を互いに接合し、該床材同士の互いの接合部に、該床材表面側に開口し、粒子状のアレルゲンを溜める溜まり部を形成し、上記床材同士の互いの接合端面の上端部に、上側に行くに従って該接合端面とは反対側に向かって傾斜する傾斜面を形成し、該溜まり部の内面に、アレルゲン低減剤を含む塗料を塗布するようにした床材の接合構造のメンテナンス方法であって、上記溜まり部にアレルゲン低減剤を含む揮発性溶液を供給することを特徴とするものである。
【００２０】
これによれば、溜まり部にアレルゲン低減剤を含む揮発性溶液を供給すると、この揮発性溶液は揮発性があるので、揮発性溶液が溜まり部に速やかに浸透して揮発し、揮発性溶液に含まれるアレルゲン低減剤が直ちに乾燥する。これにより、揮発性溶液に含まれるアレルゲン低減剤が、アレルゲン低減剤が剥離した部分を含む溜まり部内面にすぐに固着され、溜まり部におけるアレルゲンの低減機能が即座に再生される。このため、溜まり部におけるアレルゲンの低減機能を持続させることができる。
【００２１】
また、溜まり部にアレルゲン低減剤を含む揮発性溶液を供給すると、溜まり部に溜まった不活性化されていないアレルゲンがその揮発性溶液によって不活性化が促進され、さらに、そのアレルゲンが揮発性溶液に含まれるアレルゲン低減剤と接触する。このため、アレルゲンをより確実且つ効率良く不活性化することができる。
【発明の効果】
【００２２】
本発明によれば、床材同士の互いの接合部に、床材表面側に開口し、アレルゲンを溜める溜まり部を形成しており、この溜まり部は、床材表面よりも低い位置にあるのでアレルゲンが溜まりやすく、そして、アレルゲンが溜まった溜まり部の内面に、アレルゲン低減剤を含む塗料を塗布しているので、そのアレルゲンは塗膜中のアレルゲン低減剤と接触するため、アレルゲンを確実且つ効率良く不活性化させることができる。
【００２３】
また、別の発明によれば、接合部を振動させるので、溜まり部に溜まったアレルゲンが溜まり部内を移動し、そのアレルゲンは塗膜中のアレルゲン低減剤とより接触しやすくなるため、アレルゲンをより確実且つ効率良く不活性化することができる。
【００２４】
また、別の発明によれば、溜まり部にアレルゲン低減剤を含むワックスを供給すると、このワックスは、粘度が高いので溜まり部全体に広がり、ワックスに含まれるアレルゲン低減剤が、アレルゲン低減剤が剥離した部分を含む溜まり部内面全体に固着され、溜まり部におけるアレルゲンの低減機能が再生されるため、溜まり部におけるアレルゲンの低減機能を持続させることができる。
【００２５】
また、別の発明によれば、溜まり部にアレルゲン低減剤を含む水溶液を供給すると、この水溶液が溜まり部に速やかに浸透し、水溶液に含まれるアレルゲン低減剤が、アレルゲン低減剤が剥離した部分を含む溜まり部内面に直ちに固着され、溜まり部におけるアレルゲンの低減機能が即座に再生されるため、溜まり部におけるアレルゲンの低減機能を持続させることができる。
【００２６】
さらに、溜まり部にアレルゲン低減剤を含む水溶液を供給すると、アレルゲンは水に溶けやすいので、水溶液に、溜まり部に溜まった不活性化されていないアレルゲンが溶け、このアレルゲンが水溶液に含まれるアレルゲン低減剤と接触し、アレルゲンがより確実且つ効率良く不活性化される。
【００２７】
また、別の発明によれば、溜まり部にアレルゲン低減剤を含む揮発性溶液を供給すると、この揮発性溶液は揮発性があるので、揮発性溶液が溜まり部に速やかに浸透して揮発し、揮発性溶液に含まれるアレルゲン低減剤が直ちに乾燥することにより、揮発性溶液に含まれるアレルゲン低減剤が、アレルゲン低減剤が剥離した部分を含む溜まり部内面にすぐに固着され、溜まり部におけるアレルゲンの低減機能が即座に再生されるため、溜まり部におけるアレルゲンの低減機能を持続させることができる。
【００２８】
さらに、溜まり部にアレルゲン低減剤を含む揮発性溶液を供給すると、溜まり部に溜まった不活性化されていないアレルゲンがその揮発性溶液によって不活性化が促進され、さらに、そのアレルゲンが揮発性溶液に含まれるアレルゲン低減剤と接触するため、アレルゲンをより確実且つ効率良く不活性化することができる。
【図面の簡単な説明】
【００２９】
【図１】本発明の実施形態に係る床材の接合構造を示す概略断面図であり、左図は全体図、右図は左図の要部拡大図である。
【図２】床材同士を互いに接合する前の状態を示す概略断面図である。
【図３】床材の接合構造の溜まり部にアレルゲン低減剤を含むワックス、アレルゲン低減剤を含む水溶液又はアレルゲン低減剤を含む揮発性溶液を供給する場合の様子を示す概略断面図であり、（ａ）は供給前の図、（ｂ）は供給後の図である。
【発明を実施するための形態】
【００３０】
以下、本発明の実施形態を図面に基づいて詳細に説明する。
【００３１】
（床材の接合構造の構成）
本発明の実施形態に係る床材の接合構造は、室内空間に設置され、図１に示すように、床材１，１同士を互いに接合するようにしたものである。床材１は、合板やＭＤＦ、ハードボード、パーティクルボード、単板積層材などの単体又はこれらの複合板からなる木質系基材からなる矩形状や雁行形状のものである。図１（ａ）及び図２に示すように、本実施形態では、床材１の互いに平行な端面には、断面略コ字状の雌実１０とこの雌実１０に嵌合可能な雄実１１とが施されており、隣接する床材１，１の雌実１０と雄実１１とを嵌合させることにより、床材１，１同士は互いに接合されている。尚、床材１，１同士は、所謂、合じゃくりなどにより互いに接合されても良い。
【００３２】
図１に示すように、床材１，１同士の互いの接合部２には、床材１表面（上面）側に（上側に向かって）開口し、ダニや花粉などの粒子状のアレルゲンａを溜める孔状の溜まり部２０が形成されている。この溜まり部２０は、本実施形態では、床材１，１同士の互いの接合端面２１，２１の間に形成された断面略ハット状の狭小な隙間部であり、床材１裏面（下面）側にも（下側に向かっても）開口しており、各接合端面２１の上端部に、上側に行くに従って該接合端面２１とは反対側に向かって傾斜する傾斜面２１ａが形成されている。このように接合端面２１に傾斜面２１ａを形成すると、溜まり部２０の上側開口部２０ａが大きくなり、この大きな開口部２０ａによりアレルゲンａは溜まり部２０に進入しやすくなる。
【００３３】
溜まり部２０の内面には、アレルゲン低減剤を含む塗料が予め塗布固着されることにより、アレルゲン低減剤を含む塗膜３，３が形成されている。塗料は、例えば、紫外線硬化樹脂を主成分としている。塗料は、本実施形態では、床材１，１同士の互いの接合端面２１，２１の両面のうち傾斜面２１ａ以外のほぼ全面に塗布されている。尚、塗料は、両接合端面２１，２１のうちいずれか一方の面のみに塗布されても良いし、また、両接合端面２１，２１のうち上側垂直面２１ｂ，２１ｂのみに塗布されても良いし、両接合端面２１，２１のうち雌実１０と雄実１１との嵌合部部分のみに塗布されても良い。塗料は、床材
１，１同士を互いに接合する前において、例えばロールコーターやフローコーター、刷毛などを用いて塗布される。
【００３４】
アレルゲン低減剤は、略球形状の固形粒子状の材料あるいは水溶液の材料で構成されている。尚、アレルゲン低減剤の形状は、球形状以外にも、例えば円柱形や楕円形等、他の形状を採用することもできる。
【００３５】
アレルゲン低減剤として、ポリフェノールやタンパク質分解酵素、尿素等の有機化合物、イオン官能基を付与した微粒子、無機塩を配合した化合物などがある。
【００３６】
アレルゲン低減剤は、そのまま用いても良いし、アクリル樹脂やポリエステル樹脂、エポキシ樹脂などに混合して用いても良い。また、アレルゲン低減剤は、単一種類で使用しても良いし、複数種類を組み合わせても良い。使用されるアレルゲン低減剤は、低減対象とされるアレルゲンａに応じて適宜選択すれば良い。
【００３７】
また、各床材１の裏面全面には、不織布や発泡樹脂板、ゴム板等の弾性シートなどからなるクッション材４が粘着されている。
【００３８】
（床材の接合構造の作用と使用方法）
以下、上述の如く構成された床材１の接合構造の作用と使用方法について説明する。
【００３９】
室内空間に存在するアレルゲンａは、図１（ａ）に示すように、床材１表面に付着したり、溜まり部２０に進入して溜まったりする。この溜まり部２０は、床材１表面よりも低い位置にあるのでアレルゲンａが溜まりやすい。そして、アレルゲンａが溜まった溜まり部２０の内面に、アレルゲン低減剤を含む塗料を塗布しているので、そのアレルゲンａは塗膜３，３中のアレルゲン低減剤と接触反応し、アレルゲンａが確実且つ効率良く不活性化される。さらに、溜まり部２０は、接合部２に生じた狭小な隙間部であるので、溜まり部２０に溜まったアレルゲンａが塗膜３，３中のアレルゲン低減剤と密着し、そのアレルゲンａは塗膜３，３中のアレルゲン低減剤とより接触反応しやすくなり、アレルゲンａがより確実且つ効率良く不活性化される。また、アレルゲン低減剤を含む塗料を接合端面２１，２１の両面のほぼ全面に塗布しているので、アレルゲンａの、塗膜３，３中のアレルゲン低減剤との接触面積が大きくなり（具体的には、その接触面積が、床材１表面にアレルゲン低減剤を含む塗膜を形成した場合におけるその表面に付着したアレルゲンａの、その塗膜中のアレルゲン低減剤との接触面積の約２倍になる（図１（ａ）に示す床材１表面に付着したアレルゲンａを参照））、アレルゲンａがより確実且つ効率良く不活性化される。
【００４０】
ところで、人間が床材１の上を歩行すると、床材１が上下だけでなく左右にも振動し、これに伴って、接合部２も上下左右に振動する。これにより、溜まり部２０に溜まったアレルゲンａが溜まり部２０内を撹拌移動し、そのアレルゲンａは塗膜３，３中のアレルゲン低減剤と接触反応しやすくなり、アレルゲンａがより確実且つ効率良く不活性化される。また、各床材１の裏面にクッション材４を設けているので、人間が床材１の上を歩行すると、床材１のうち人間の足で踏んでいる部分と踏んでいない部分との間で大きな撓みが発生する。これにより、溜まり部２０に溜まったアレルゲンａの溜まり部２０内での移動量が大きくなり、そのアレルゲンａは塗膜３，３中のアレルゲン低減剤とより接触反応しやすくなり、アレルゲンａがより確実且つ効率良く不活性化される。
【００４１】
（床材の接合構造のメンテナンス方法）
以下、上述の如く構成された床材１の接合構造のメンテナンス方法について説明する。
【００４２】
床材１の使用を開始してから時間が経過すると、塗膜３，３中のアレルゲン低減剤自体の、アレルゲンａの低減機能が低下したり、図３（ａ）に示すように、塗膜３，３が溜まり部２０の内面から剥離したりすることにより（塗膜３中の白抜き部分を参照）、溜まり部２０におけるアレルゲンａの低減機能が低下する。そこで、床材１の使用開始後、必要に応じて、床材１の表面をアレルゲン低減剤を含むワックスでワックスがけすることなどにより、溜まり部２０にアレルゲン低減剤を含むワックスを滴下供給する。
【００４３】
このワックスとして、ウレタンやアクリルなどの樹脂ワックス、ロウなどの水性ワックスがある。使用されるワックスは、床材１の材質に基づいて決定される。溜まり部２０にアレルゲン低減剤を含むワックスを供給すると、ワックスは、粘度が高いので溜まり部２０全体に広がり、図３（ｂ）に示すように、ワックスに含まれるアレルゲン低減剤が、アレルゲン低減剤が剥離した部分を含む溜まり部２０内面全体に固着され、溜まり部２０におけるアレルゲンａの低減機能が再生される。このため、溜まり部２０におけるアレルゲンａの低減機能が持続される。
【００４４】
また、床材１の使用開始後、必要に応じて、図３（ａ）に示すように、床材１の表面をアレルゲン低減剤を含む水溶液で水拭きすることなどにより、溜まり部２０にアレルゲン低減剤を含む水溶液を滴下供給しても良い。
【００４５】
このように溜まり部２０にアレルゲン低減剤を含む水溶液を供給すると、この水溶液が溜まり部２０に速やかに浸透し、図３（ｂ）に示すように、水溶液に含まれるアレルゲン低減剤が、アレルゲン低減剤が剥離した部分を含む溜まり部２０内面に直ちに固着され、溜まり部２０におけるアレルゲンａの低減機能が即座に再生される。このため、溜まり部２０におけるアレルゲンａの低減機能が持続される。さらに、アレルゲンａは水に溶けやすいので、溜まり部２０にアレルゲン低減剤を含む水溶液を供給すると、この水溶液に、溜まり部２０に溜まった不活性化されていないアレルゲンａが溶け、このアレルゲンａが水溶液に含まれるアレルゲン低減剤と接触反応し、アレルゲンａがより確実且つ効率良く不活性化される。
【００４６】
また、床材１の使用開始後、必要に応じて、図３（ａ）に示すように、溜まり部２０にアレルゲン低減剤を含むアルコールなどの揮発性溶液を滴下供給しても良い。
【００４７】
このように溜まり部２０にアレルゲン低減剤を含む揮発性溶液を供給すると、この揮発性溶液は文字通り揮発性があるので、揮発性溶液が溜まり部２０に速やかに浸透して揮発し、揮発性溶液に含まれるアレルゲン低減剤が直ちに乾燥する。これにより、図３（ｂ）に示すように、揮発性溶液に含まれるアレルゲン低減剤が、アレルゲン低減剤が剥離した部分を含む溜まり部２０内面にすぐに固着され、溜まり部２０におけるアレルゲンａの低減機能が即座に再生される。このため、溜まり部２０におけるアレルゲンａの低減機能が持続される。さらに、溜まり部２０にアレルゲン低減剤を含む揮発性溶液を供給すると、溜まり部２０に溜まった不活性化されていないアレルゲンａがその揮発性溶液によって不活性化が促進され、さらに、そのアレルゲンａが揮発性溶液に含まれるアレルゲン低減剤と接触反応し、アレルゲンａがより確実且つ効率良く不活性化される。
【００４８】
尚、このメンテナンスで使用されるアレルゲン低減剤は、溜まり部２０の内面に予め塗布されたアレルゲン低減剤と同じものを用いても良いし、異なるものを用いても良い。また、そのアレルゲン低減剤は、単一種類で使用しても良いし、複数種類を組み合わせても良い。
【００４９】
（その他の実施形態）
上記実施形態では、溜まり部２０を断面略ハット状としているが、これに限らず、例え
ば、雄実１１の上面と両接合端面２１，２１の上側垂直面２１ｂ，２１ｂとで区画され且つ床材１表面側のみに開口した断面略矩形状としても良い。
【００５０】
また、上記実施形態では、各床材１の裏面にクッション材４を設けているが、これを設けなくても良い。但し、アレルゲンａの確実且つ効率的な不活性化の観点からは、設けた方が良い。
【００５１】
本発明は、実施形態に限定されず、その精神又は主要な特徴から逸脱することなく他の色々な形で実施することができる。
【００５２】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００５３】
以上説明したように、本発明は、アレルゲンを確実且つ効率良く不活性化させたり、アレルゲンの低減機能を持続させたりすることが必要な、フローリング床の床材の実加工が施された部分等に用いるのに適している。
【符号の説明】
【００５４】
１    床材 
２    接合部 
２０  溜まり部
３    塗膜
４    クッション材
ａ    アレルゲン
【図１】
0005969168.tif 000002
【図２】
0005969168.tif 000003
【図３】
0005969168.tif 000004